(57)【要約】【課題】筆記芯が交換された直後においても、安定した線幅による筆記が可能なシャープペンシル用筆記芯を提供すること。【解決手段】筆記圧を利用して筆記芯を回転させることができるシャープペンシルに用いられる円柱状に成形された長尺状の筆記芯であって、前記筆記芯Ｌの少なくとも一端部は、軸芯Ｃを頂点とする円錐形状に成形され、前記円錐形状に成形された円錐面Ｌと前記軸芯Ｃとの交差角度が４０〜８０度になされている。  前記筆記芯Ｌを替え芯として利用した場合には、筆記芯Ｌが新しく変わった直後においても、所定の角度αに成形された円錐面Ｌａを利用して筆記を行うことができ、これにより常に安定した線幅による筆記が可能となる。【選択図】図４
2013043943.tif 000002
【特許請求の範囲】
【請求項１】
筆記圧を利用して筆記芯を回転させることができるシャープペンシルに用いられる円柱状に成形された長尺状の筆記芯であって、
前記筆記芯の少なくとも一端部は、軸芯を頂点とする円錐形状に成形されていることを特徴とするシャープペンシル用筆記芯。
【請求項２】
前記円錐形状に成形された円錐面と前記軸芯との交差角度が４０〜８０度になされていることを特徴とする請求項１に記載されたシャープペンシル用筆記芯。
【発明の詳細な説明】
【技術分野】
【０００１】
この発明は、筆記圧を利用して筆記芯（替え芯）を回転させることができるシャープペンシルにおいて好適に用いることができるシャープペンシル用筆記芯に関する。
【背景技術】
【０００２】
例えばノック式のシャープペンシルは、周知のとおり、軸筒内に筆記芯を把持するチャックが収納され、軸筒の後端部に配置されたノック部をノック操作することで、前記チャックが前後動され、軸筒の前端部に配置された先端パイプ等から筆記芯が順次繰り出されるように構成されている。
このようなシャープペンシルに用いられる筆記芯（替え芯）は、円柱状にして長尺状に成形されると共に、軸芯に直交する面で適宜の長さに切断され、円形の端面を形成している。
【０００３】
このような構成の筆記芯を用いた場合の不都合を解消するために、筆記芯の端部を軸芯に対して例えば４５度程度傾けて傾斜端面とした筆記芯が提案されており、これは特許文献１に開示されている。
これによると、シャープペンシルの軸筒を筆記面に対して例えば４５度程度傾けて筆記を行う場合において、楕円形の前記傾斜端面の全面を用いて筆記する場合と、シャープペンシルの把持位置を若干回転させて、前記傾斜端面の楕円形の端を用いて筆記する場合とにおいて、描線の線幅を選択することができると説明されている。
【０００４】
しかしながら、シャープペンシルを持ち替えながら描線の線幅を選択したり調節しようとすることは現実的には至難であり、筆記の進行と共に筆記芯が偏減りするために、シャープペンシル持ち替えるたびに線の太さが変わるというばらつきが発生する。
【０００５】
そこで、本件出願人は筆記圧による筆記芯のわずかな後退動作および筆記圧の解除による筆記芯の前進動作を利用して、筆記芯を一方向に回転させることができるシャープペンシルについて先に提案しており、これは特許文献２に開示されている。
この特許文献２に開示されたシャープペンシルによると、軸筒を筆記面（紙面）に対して例えば４０度〜８０度程度傾けた一般的な状態で使用した場合、一画文字を書くたびに筆記芯が回転駆動されるので、筆記芯の先端部は常に円錐形状にとがった状態に保たれ、常にほぼ同一の線幅をもって筆記をすることが可能となる。
【先行技術文献】
【特許文献】
【０００６】
【特許文献１】実開昭６２−１５４８８６号公報
【特許文献２】国際公開ＷＯ２００７／１４２１３５号パンフレット
【発明の概要】
【発明が解決しようとする課題】
【０００７】
ところで、前記したように筆記圧により芯が回転駆動されるシャープペンシルを用い、また従来より提供されている各端部が軸芯に直交する面で切断された円形の端面を有する筆記芯を用いた場合には、芯が交換された直後においては、このシャープペンシルが持つ本来の機能を十分に発揮することができない。
図６は、その様子を模式図で示したものであり、この例においてはシャープペンシルの軸筒を、紙面Ｐに対して４５度程度傾けた場合の先端筆記部の状態を示している。
【０００８】
すなわち、シャープペンシルの先端パイプ７より繰り出された筆記芯Ｌによって筆記される描線は、筆記芯Ｌが交換された直後においては、芯Ｌの円形状端面の角部が紙面Ｐに当たるために、線幅が細く描線が不安定な状態となる。
これは、筆記芯Ｌが受ける回転運動と筆記による摩耗とにより、筆記芯Ｌの先端部が円錐面Ｌａに成長するまでの過程において、その面取り幅に応じて線幅の太さが変わることになり、この状況は筆記芯Ｌが新しくなるたびに発生することになる。
【０００９】
この発明は、前記した不都合な点に着目してなされたものであり、筆記圧を利用して筆記芯を回転させることができるシャープペンシルに好適に使用することができ、かつ筆記芯が交換された直後においても、安定した線幅による筆記が可能なシャープペンシル用筆記芯を提供することを課題とするものである。
【課題を解決するための手段】
【００１０】
前記した課題を解決するためになされたこの発明に係るシャープペンシル用筆記芯は、筆記圧を利用して筆記芯を回転させることができるシャープペンシルに用いられる円柱状に成形された長尺状の筆記芯であって、前記筆記芯の少なくとも一端部は、軸芯を頂点とする円錐形状に成形されている点に特徴を有する。
【００１１】
この場合、円錐形状に成形された円錐面と前記軸芯との交差角度が４０〜８０度になされていることが望ましい。
【発明の効果】
【００１２】
前記したこの発明に係るシャープペンシル用筆記芯によると、筆記芯の少なくとも一端部が、軸芯を頂点とする円錐形状に成形され、望ましくは円錐形状に成形された円錐面と軸芯との交差角度が４０〜８０度になされているので、前記したように筆記圧を利用して筆記芯を回転させることができるシャープペンシルに装着した直後から、安定した線幅による筆記が可能となる。
【図面の簡単な説明】
【００１３】
【図１】この発明に係る筆記芯を好適に用いることができるシャープペンシルの前半部を一部破断して示した斜視図である。
【図２】同じくシャープペンシルの一部を断面状態で示した側面図である。
【図３】同じくシャープペンシルの全体構成を示した断面図である。
【図４】この発明に係る筆記芯の外観構成を示した側面図である。
【図５】図４に示す筆記芯を図１〜図３に示すシャープペンシルに装着した場合の先端筆記部の模式図である。
【図６】従来の筆記芯を図１〜図３に示すシャープペンシルに装着した場合の先端筆記部の模式図である。
【発明を実施するための形態】
【００１４】
以下、この発明に係るシャープペンシル用筆記芯について説明するが、先ずはこの発明に係る筆記芯を好適に利用することができるシャープペンシルの一例について、図１〜３に基づいて説明する。
図１および図２はシャープペンシルの前半部を示したものであり、図１はその主要部を破断して示した斜視図であり、また図２は左半部を断面状態で示した側面図である。
【００１５】
符号１はその外郭を構成する軸筒を示しており、符号２は前記軸筒１の先端部に取り付けられた口先部を示している。前記軸筒１内の中心部には筒状の芯ケース３が同軸状に収容されており、この芯ケース３の先端部にはチャック４が連結されている。
このチャック４は、その軸芯に沿って通孔４ａが形成され、また先端部が三方に分割されて、分割された先端部がリング状に形成された締め具５内に遊嵌されるようにして装着されている。そして、リング状の前記締め具５は前記チャック４の周囲を覆うようにして配置された円筒状に形成された回転子６の先端部内面に装着されている。
【００１６】
前記口先部２より突出するようにして先端パイプ７が配置されており、この先端パイプ７の基端部は前記口先部２内に位置するスライダー８の先端部内面に嵌合されている。前記スライダー８は、その基端部（後端部）側が大径となるように円筒部が連続した階段状に形成されており、その基端部内面は前記した回転子６の先端部における周側面に嵌合されている。そして、前記スライダー８における内周面には、軸芯部分に通孔９ａを形成したゴム製の保持チャック９が収容されている。
【００１７】
前記した構成により、芯ケース３よりチャック４内に形成された通孔４ａ、前記保持チャック９の軸芯に形成された通孔９ａを介して、前記先端パイプ７に至る直線状の芯挿通孔が形成されており、この直線状の芯挿通孔内に後述する筆記芯（替え芯）が挿通される。そして、前記した回転子６とチャック４との間の空間部には、コイル状のリターンバネ１０が配置されている。
【００１８】
なお前記リターンバネ１０の一端部（後端部）は前記芯ケース３の端面に、また前記リターンバネ１０の他端部（前端部）は回転子６内に形成された環状の端面に当接した状態で収容されている。したがって前記リターンバネ１０の作用により、回転子６内のチャック４は後退する方向に付勢されている。
【００１９】
図に示すシャープペンシルにおいては、軸筒１の後端部に配置された後述するノック部（ノックカバー）をノック操作することで、前記芯ケース３が軸筒１内において前進し、チャック４の先端部が締め具５から突出することで筆記芯の把持状態が解除される。そして、前記ノック操作の解除により、リターンバネ１０の作用により芯ケース３およびチャック４は軸筒１内において後退する。
【００２０】
この時、筆記芯は保持チャック９に形成された通孔９ａにおいて保持される。この状態でチャック４は後退してその先端部が前記締め具５内に収容されることで、筆記芯を再び把持状態にする。すなわち、前記したノック部（ノックカバー）のノック操作の繰り返しによるチャック４の前後動により筆記芯の解除と把持が行われ、これにより筆記芯はチャック４から順次前方に繰り出されるように作用する。
【００２１】
図１に示す前記した回転子６は、その軸方向の中央部が径を太くした太径部になされ、その太径部の一端面（後端面）には第１のカム面６ａが形成されており、太径部の他端面（前端面）には第２のカム面６ｂが形成されている。
一方、前記回転子６の後端部には、円筒状の上カム形成部材１３が回転子６の後端部を覆うようにして軸筒１内に取り付けられており、前記上カム形成部材１３の前端部には、前記回転子６における第１のカム面６ａに対峙するようにして固定カム面（第１の固定カム面ともいう。）１３ａが形成されている。
【００２２】
さらに、図１においては図示が省略され、図２に示されているが、前記回転子６の外側に下カム形成部材１４が配置され、この下カム形成部材１４は軸筒１側に取り付けられている。そして、下カム形成部材１４には前記回転子６における第２のカム面６ｂに対峙するようにして、固定カム面（第２の固定カム面ともいう。）１４ａが形成されている。
【００２３】
図３は、図１および図２に基づいて説明したシャープペンシルの全体図を示したものであり、図１および図２に示した代表的な部分を同一符号で示している。図３に示されたように円筒状に形成された前記上カム形成部材１３の後端部内面には、円筒状のストッパー１６が嵌合されており、このストッパー１６の前端部と、円筒状に形成され軸方向に移動可能なトルクキャンセラー１７との間にはコイル状のバネ部材１８が装着されている。
【００２４】
前記バネ部材１８は、前記トルクキャンセラー１７を前方に付勢するように作用し、この付勢力を受けた前記トルクキャンセラー１７に押されて前記回転子６は前方に向かうように構成されている。
【００２５】
また、軸筒１の後端部側内面には、円筒状に形成されたノック棒２１が軸方向にスライド可能に収容されており、このノック棒２１の一部は前記芯ケース３の後端部に嵌合して、軸筒１内において前記芯ケース３と共に前後動できるように装着されている。そして、軸筒１の後端部においてクリップ２３を一体に形成した筒体部２３ａが軸筒１内に嵌め込まれており、この筒体部２３ａ内に形成された円環状の段部２３ｂによって、前記ノック棒２１が軸筒１の後端部側から抜け出るのを阻止するように構成されている。
【００２６】
前記ノック棒２１の後端部は環状に形成され、前記筒体部２３ａの後端部よりも若干後方に突出した状態に構成にされており、前記ノック棒２１の後端部内面空間には消しゴム２４が装着されている。そして、前記消しゴム２４を覆うようにしてノック部を構成する透明もしくは半透明な樹脂素材により形成されたノックカバー２５が、ノック棒２１の後端部外周面を覆うようにして着脱可能に取り付けられている。
なお、前記ノック棒２１における消しゴム２４の装着位置には、筆記芯の補給口２１ａが形成されている。
【００２７】
前記した構成において、前記ノックカバー２５を例えば親指等により押し込むノック操作を行うと、ノック棒２１を介して芯ケース３を前方に押し出すように作用する。これにより、前記したとおりチャック４が前進して筆記芯を先端パイプ７より繰り出させるように作用する。そして前記ノック操作の解除によりノック棒２１は、リターンバネ１０の作用により後退し、ノック棒２１はクリップ２３を支持する筒体部２３ａの内面に形成された段部２３ｂによって係止される。
【００２８】
ところで、前記したシャープペンルの構成によると、チャック４が筆記芯を把持した状態で、前記回転子６はチャック４と共に軸芯を中心にして回転可能となるように前記軸筒１内に収容されている。そして、シャープペンシルが不使用の状態（筆記芯に筆記圧が加わらない場合）においては、前記バネ部材１８の作用により前記トルクキャンセラー１７を介して回転子６は前方に付勢されていて、図１〜図３に示す状態になされている。
【００２９】
一方、シャープペンシルを使用した場合、すなわち先端パイプ７から突出している図示せぬ筆記芯に筆記圧が加わった場合には、前記チャック４はバネ部材１８の付勢力に抗して後退し、これに伴って回転子６も軸方向に後退する。したがって、図１および図２に示す回転子６に形成されている円環状の第１のカム面６ａは同じく円環状に形成された第１の固定カム面１３ａに接合して噛み合い状態になされる。
【００３０】
前記第１のカム面６ａは周方向に沿って連続的に鋸歯状になされており、また前記第１の固定カム面１３ａも周方向に沿って連続的に鋸歯状になされており、そのピッチは互いに同一となるように形成されている。
そして、対峙した状態の第１カム面６ａと固定カム面１３ａは、軸方向においてカムの一歯に対して半位相（半ピッチ）ずれた関係となるように設定されており、前記したように第１のカム面６ａが第１の固定カム面１３ａに接合して噛み合い状態になされることによって、回転子６は第１カム面６ａの一歯の半位相（半ピッチ）に相当する回転駆動を受ける。
【００３１】
このようにして第１のカム面６ａが第１の固定カム面１３ａに接合して噛み合い状態になされた状態においては、前記第１のカム面６ａと第１の固定カム面１３ａ同様に周方向に沿って連続的に鋸歯状にカム面が形成された回転子６側の第２カム面６ｂと前記第２の固定カム面１４ａが、軸方向においてカムの一歯に対して半位相（半ピッチ）ずれた関係となるように設定されている。
【００３２】
したがって一画の筆記が終わり、筆記芯に対する筆記圧が解かれた場合には、前記したバネ部材１８の作用により回転子６は軸方向に前進し、回転子６に形成された第２カム面６ｂが、下カム形成部材１４側の第２の固定カム面１４ａに噛み合う。これにより回転子６は第２カム面６ｂの一歯の半位相（半ピッチ）に相当する回転駆動を再び受ける。
【００３３】
以上のとおり、図１〜図３示したシャープペンシルによると、筆記圧を受けることによる回転子６の軸方向への往復運動に伴って、回転子６は第１カム面６ａおよび第２カム面６ｂの一歯（１ピッチ）に相当する回転駆動を受け、チャック４を介してこれに把持された筆記芯も同様に回転駆動される。
したがって、筆記芯は自身が受ける回転運動と筆記による摩耗とにより、先端部が常に円錐形状になされる。それ故、書き進むにしたがって筆記芯が偏摩耗するのを防止させることができ、安定した線幅による筆記が可能となる。
【００３４】
図４は前記した構成のシャープペンシルにおいて好適に利用することができるこの発明に係る筆記芯の外観構成を示している。
図に示すように、筆記芯Ｌは円柱状にして長尺状になされており、この実施の形態においては、この筆記芯Ｌの両端部は軸芯Ｃを頂点とする円錐形状に成形されている。
【００３５】
そして、前記筆記芯Ｌの各端部における円錐形状に成形された円錐面Ｌａと前記軸芯Ｃとの交差角度αは、図示例においては４５度になされている。
前記交差角度αは、シャープペンシルによって筆記を行う場合の前記軸筒１と筆記面（紙面Ｐ）との角度に依存し、一般的にはその角度は４０〜８０度になされる。
したがって、図に示す筆記芯Ｌの端部における円錐面Ｌａと前記軸芯Ｃとの交差角度αは、４０〜８０度の範囲に設定されていることが望ましい。
【００３６】
斯くして図５は、筆記圧を利用して筆記芯を回転させることができる前記したシャープペンシルに、この発明に係る筆記芯Ｌを利用した例を模式図で示したものであり、すでに説明した図６に示した例と同様にシャープペンシルの軸筒１（先端パイプ７）を、紙面Ｐに対して４５度程度傾けた場合の先端筆記部の状態を示している。
【００３７】
この発明に係る筆記芯Ｌを替え芯として利用した場合には、筆記芯Ｌが新しく変わった直後においても、図５に示すように所定の角度αに成形された円錐面Ｌａを利用して筆記を行うことができ、これにより常に安定した線幅による筆記が可能となり、前記した発明の効果の欄に記載したとおりの作用効果を得ることができる。
【００３８】
なお、図４に示した筆記芯Ｌにおいては、その長手方向の両端部にそれぞれ円錐面Ｌａが形成されているが、これは筆記芯Ｌの少なくとも一方の端部に円錐面Ｌａを施すようにしても良い。この場合には、前記したシャープペンシルの芯ケース３に筆記芯Ｌを補給する際に、円錐面Ｌａが形成された端部が先になるように補給口に挿入することで、前記と同様の作用効果を期待することができる。
【符号の説明】
【００３９】
１      軸筒
７      先端パイプ
Ｌ      筆記芯
Ｌａ    円錐面
Ｐ      紙面（筆記面）
【図１】
2013043943.tif 000003
【図２】
2013043943.tif 000004
【図３】
2013043943.tif 000005
【図４】
2013043943.tif 000006
【図５】
2013043943.tif 000007
【図６】
2013043943.tif 000008